(57)【要約】【課題】液晶表示器の表示画像に対する視度を調整することができるデジタルカメラを提供することを目的としている。【解決手段】回転つまみ１０の円盤面はカメラ側面に対して平行であり、回転つまみ１０の一部はカメラボディ２から外出している。また、円盤面には、駆動ピン１０ａが備え付けられ、枢軸１０ｂを中心として回動される。駆動腕部２０の下端は、連結ピン２１により視度調整レンズ９下部の支持枠１９と連結しており、上端に形成されたカム長孔２０ａは、視度調整レンズ９の連動ピン９ａと係合している。駆動腕部２０は回転つまみ１０の駆動ピン１０ａの回動により、連結ピン２１を軸として駆動され、この駆動が連動ピン９ａを介して視度調整レンズ９に伝わり、視度調整レンズ９はレンズ枠１８を介して支持枠１９にガイドされ、液晶表示器３と観察窓５との間で光軸方向に移動される。【選択図】　　　　図２
2004080628.tif 000002
【特許請求の範囲】
【請求項１】
直視型の液晶表示器がカメラボディの背面に組み込まれ、液晶表示器の表示画像が観察窓を通して認識できるようにしたデジタルカメラにおいて、
前記液晶表示器と前記観察窓との間に光軸方向に移動自在に視度調整レンズを組み込み、操作部材の操作に連動して前記視度調整レンズを光軸方向に移動させるようにしたことを特徴とするデジタルカメラ。
【請求項２】
直視型の液晶表示器がカメラボディの背面に組み込まれ、液晶表示器の表示画像が観察窓を通して認識できるようにしたデジタルカメラにおいて、
前記観察窓を覆うように、視度補正レンズを保持した視度調整アタッチメントが着脱自在であることを特徴とするデジタルカメラ。
【請求項３】
前記視度調整アタッチメントは、外光が前記観察窓に照射されることを防ぐフードと、このフードの中央部に形成された接眼窓とを有することを特徴とする請求項２記載のデジタルカメラ。
【発明の詳細な説明】
【０００１】
【発明の属する技術分野】
本発明は、液晶表示器を有するデジタルカメラに関するものである。
【０００２】
【従来の技術】
近年開発されているデジタルカメラには、光学ファインダーに視度調整機構を備えたものがある。これは、光学ファインダー内に示される撮影画面外の表示情報が多くなりつつあり、撮影画面のみならず、これらの表示情報を鮮明に確認できることが、光学ファインダーの重要な機能の一つと考えられてきているからである。このため、光学ファインダーに視度調整機構を備えることで、遠視や老眼、強い近視の人でも、光学ファインダー画面での操作や確認が十分できるようになっている。この視度調整機構は、ファインダー光学系を構成する複数のレンズ群の内、少なくとも一つのレンズ群を、光軸に沿って移動させることで視度調整をしている。
【０００３】
また、液晶表示器の手前に拡大レンズを設け、この拡大レンズによって表示画像を拡大して認識できるようにしたディスプレイ装置が知られている。また、特開平１０−１８６４５８号公報に記載されたカメラでは、液晶表示画面全体を外部から遮蔽する立体形状をなしたフードが設けられ、液晶表示画面への外光の映り込みを防ぎ、フードの中央部に設けられた拡大レンズを通して、外光の強い所でも表示画像を拡大して認識することができる。
【０００４】
【発明が解決しようとする課題】
従来、光学ファインダーに視度調整機構を備えていたり、液晶表示器の表示画像を拡大表示させるデジタルカメラがあったが、液晶表示器に視度調整機構を備えているデジタルカメラはなかった。また、外光遮断フードの拡大レンズを通して液晶表示器の表示画像を認識する際に、表示画面とユーザーの眼との距離が制限されていた。これらのことから、液晶表示器の表示画像を認識できないユーザーがいた。
【０００５】
そこで、本発明は、液晶表示器の表示画像に対する視度を調整することができるデジタルカメラを提供することを目的としている。
【０００６】
【課題を解決するための手段】
上記目的を達成するために、請求項１記載の発明では、直視型の液晶表示器がカメラボディの背面に組み込まれ、液晶表示器の表示画像が観察窓を通して認識できるようにしたデジタルカメラにおいて、前記液晶表示器と前記観察窓との間に光軸方向に移動自在に視度調整レンズを組み込み、操作部材の操作に連動して前記視度調整レンズを光軸方向に移動させるようにしたことを特徴としている。
【０００７】
また、請求項２記載の発明では、直視型の液晶表示器がカメラボディの背面に組み込まれ、液晶表示器の表示画像が観察窓を通して認識できるようにしたデジタルカメラにおいて、前記観察窓を覆うように、視度補正レンズを保持した視度調整アタッチメントが着脱自在であることを特徴としている。また、請求項３記載の発明では、請求項２記載のデジタルカメラにおいて、前記視度調整アタッチメントは、外光が前記観察窓に照射されることを防ぐフードと、このフードの中央部に形成された接眼窓とを有することを特徴としている。
【０００８】
【発明の実施の形態】
図１は、本発明の第一実施形態におけるデジタルカメラの背面側外観を示している。また、図２は、本発明の第一実施形態におけるデジタルカメラの視度調整機構を示している。カメラボディ２は薄型の略直方体形状に構成され、その前面には、図示しない撮影レンズ、ストロボ発光部が設けられている。撮影レンズの背後には、ＣＣＤイメージセンサが組み込まれ、撮影レンズを通して得られた被写体の光学画像を光電変換して撮像信号を出力する。
【０００９】
撮像信号は、逐次にＡ／Ｄ変換、各種の信号処理により画像データに変換され、カメラボディ２背面に組み込まれた液晶表示器３で被写体画像が表示され、この被写体画像は、液晶表示器３に対向し、カメラボディ２背面の観察窓枠４に囲まれた観察窓５を通して認識される。また、光学ファインダーによるフレーミングもでき、ファインダー対物窓６、ファインダー接眼窓７がそれぞれカメラボディ２の前面、背面に設けられている。フレーミングの後にカメラボディ２の上面に設けられたレリーズボタン８を押圧操作すると、ＣＣＤイメージセンサから得られる１画面分の撮像画像が画像データに変換された後、内蔵メモリあるいは着脱式のメモリカードに保存される。
【００１０】
また、カメラボディ２の背面には、詳細は後述するがカメラボディ２に組み込まれた視度調整レンズ９の移動を操作する操作部材としての回転つまみ１０と操作部１１が設けられており、操作部１１には、ストロボ撮影に係わる機能を切り換えるストロボモードスイッチ１２、撮影／再生モードスイッチ１３、キャンセルボタン１４、ズームやコマ送り、表示画面に表示されるカーソル移動等を操作する十字キー１５が設けられている。
【００１１】
液晶表示器３は、画像データを制御する回路を有する回路基盤１７上に設けられている。カメラボディ２の背面には、液晶表示器３と対向し、観察窓枠４に囲まれた観察窓５が設けられており、液晶表示器３と観察窓５との間には、視度調整レンズ９が組み込まれている。視度調整レンズ９の左端には連動ピン９ａが備え付けられ、上部、下部はレンズ枠１８と連結している。レンズ枠１８は、支持枠１９の内壁でガイドされ、光軸方向に移動するようにしてある。
【００１２】
観察窓５の左側のカメラボディ２背面には、円盤型の回転つまみ１０が組み込まれている。この回転つまみ１０の円盤面はカメラ側面に対して平行であり、回転つまみ１０の一部はカメラボディ２から外出している。また、円盤面には、駆動ピン１０ａが備え付けられ、回転つまみ１０と一体に枢軸１０ｂを中心に回動する。
【００１３】
駆動腕部２０の下端は、連結ピン２１により視度調整レンズ９下部の支持枠１９と連結しており、上端に形成されたカム長孔２０ａは、視度調整レンズ９の連動ピン９ａと係合している。駆動腕部２０は回転つまみ１０の駆動ピン１０ａの回動により、連結ピン２１を軸として駆動され、この駆動が連動ピン９ａを介して視度調整レンズ９に伝わり、視度調整レンズ９はレンズ枠１８を介して支持枠１９にガイドされ、液晶表示器３と観察窓５との間で光軸方向に移動する。
【００１４】
また、連結ピン２１にはバネ２２の軸が掛かっており、バネ２２の一端は掛止ピン１９ａに掛かり、他端は駆動腕部２０と係合している。このことにより、駆動腕部２０の駆動による視度調整レンズ９の移動を制限し、視度調整レンズ９が液晶表示器３と接触しないようにしている。また、回転つまみ１０にはクリック止めが効いており、バネ２２の付勢だけでは回動しないようにしている。
【００１５】
以上の構成から、ユーザーが回転つまみ１０を操作することにより、視度調整レンズ９を、液晶表示器３と観察窓５との間で光軸方向に沿って移動させることができる。これによって、液晶表示器３の表示画像に対する視度を調整することができる。
【００１６】
図３は、本発明の第二実施形態におけるデジタルカメラの背面側と視度調整アタッチメントとの外観を示している。カメラボディ２の前面には撮影レンズ、ストロボ発光部、ファインダー対物窓６が、上面にはレリーズボタン８が、背面にはファインダー接眼窓７と、ストロボモードスイッチ１２、撮影／再生モードスイッチ１３、エンターボタン１４、十字キー１５からなる操作部１１とが設けられており、それぞれ第一実施形態と同様な構成、機能を果たしている。
【００１７】
ただし、観察窓５の背後には、第一実施形態のような視度調整機構は組み込まれておらず、図示しない回路基盤と回路基盤上の液晶表示器とが組み込まれている。また、観察窓５はカメラボディ２背面に形成された観察窓枠２４に囲まれており、観察窓枠２４には、視度調整アタッチメント２５を取り付ける取付穴２４ａが形成されている。また、視度調整アタッチメント２５は、フック２５ａと接眼窓２５ｂとを有し、視度補正レンズ２６を保持している。
【００１８】
図３の矢印のように、フック２５ａを取付穴２４ａに引っ掛け、視度調整アタッチメント２５が観察窓５の上面全体を覆うように取り付けられる。また、フック２５ａは取付穴２４ａから取り外すこともできる。
【００１９】
視度調整アタッチメントを複数個用意し、これらに保持された視度補正レンズをそれぞれ異なった視度を与えるものにし、個々に観察窓５の上面に取り付けることによって、表示画像に対する視度を調整することができる。遠視や老眼の人に対しては、視度補正レンズを凸レンズとし、強い近視の人に対しては、視度補正レンズを凹レンズとすると良い。
【００２０】
図４は、本発明の第三実施形態におけるデジタルカメラの背面側と視度調整アタッチメントとの外観を示している。カメラボディ２の前面には撮影レンズ、ストロボ発光部、ファインダー対物窓６が、上面にはレリーズボタン８が、背面にはファインダー接眼窓７とストロボモードスイッチ１２、撮影／再生モードスイッチ１３、エンターボタン１４、十字キー１５からなる操作部１１と観察窓枠２４に組み込まれた観察窓５とが設けられ、図示しない液晶表示器が組み込まれており、それぞれ第二実施形態と同様な構成、機能を果たしている。
【００２１】
ただし、第三実施形態の視度調整アタッチメント２９は、第二実施形態と同様なフック２９ａを有し、視度補正レンズ３０を保持しており、なおかつ外光が観察窓５に照射されることを防ぐフード２９ｂと、このフード２９ｂの中央部に形成された接眼窓２９ｃとを有している。
【００２２】
第二実施形態と同様に、図４の矢印のように観察窓枠２４の取付穴２４ａにフック２９ａを引っ掛け、視度調整アタッチメント２９を観察窓４の上面全体を覆うように取り付けることができる。また、取り外すことができる。ここで、視度調整アタッチメントを複数個用意し、これらに保持された視度補正レンズをそれぞれ異なった視度を与えるものにし、個々に観察窓５に取り付けることによって、表示画像への外光を遮断しながら表示画像に対する視度を調整することができる。遠視や老眼の人に対しては、視度補正レンズを凸レンズとし、強い近視の人に対しては、視度補正レンズを凹レンズとすると良い。
【００２３】
また、視度調整アタッチメント２９に保持された視度補正レンズ３０を、観察窓５と接眼窓との間で、光軸方向に移動させることにより、表示画像に対する視度を調整する構成にしても良い。
【００２４】
【発明の効果】
以上説明したように本発明のデジタルカメラは、液晶表示器の表示画像に対する視度を調整することができるので遠視や老眼、強い近視の人でも表示画像が極めて認識し易くなるという効果を有する。
【図面の簡単な説明】
【図１】本発明の第一実施形態におけるデジタルカメラの背面側の外観を示す斜視図である。
【図２】本発明の第一実施形態におけるデジタルカメラが有する視度調整機構を示す断面図である。
【図３】本発明の第二実施形態におけるデジタルカメラの背面側と視度調整アタッチメントとの外観を示す斜視図である。
【図４】本発明の第三実施形態におけるデジタルカメラの背面側と視度調整アタッチメントとの外観を示す斜視図である。
【符号の説明】
２　カメラボディ
３　液晶表示器
３ａ　液晶
３ｂ　表示画面
５　観察窓
９　視度調整レンズ
９ａ　連動ピン
１０　回転つまみ
１０ａ　駆動ピン
１０ｂ　枢軸
１８　レンズ枠
１９　支持枠
１９ａ　支持ピン
２０　駆動腕部
２０ａ　カム長孔
２１　連結ピン
２４　観察窓枠
２４ａ　取付穴
２５，２９　視度調整アタッチメント
２５ａ，２９ａ　フック
２５ｂ，２９ｃ　接眼窓
２６，３０　視度補正レンズ
２９ｂ　フード
【図１】
2004080628.tif 000003
【図２】
2004080628.tif 000004
【図３】
2004080628.tif 000005
【図４】
2004080628.tif 000006